(57)【要約】【課題】壁体の開口部と当該開口部に挿通された挿通部材との隙間から室内への浸水をより確実に防止する。【解決手段】壁体１の開口部１Ａと当該開口部１Ａに挿通された挿通部材２との隙間から室内３への浸水を防止する止水構造において、この止水構造には、挿通部材２の外周面を囲う外囲部４Ａを有して壁体１の外壁面１Ｂに取り付けられた止水フード４と、外壁面１Ｂと止水フード４の上縁部４０Ｂ及び左右の側縁部との取り合いを封止する第１シール部５と、挿通部材２と外囲部４Ａとの隙間を封止する第２シール部６と、開口部１Ａと挿通部材２との隙間を封止する第３シール部７と、外壁面１Ｂと止水フード４との間に形成されて止水フード４の内部に浸入した水を流下させて止水フード４の下方に排出する排水経路部８とが含まれている。【選択図】図２
2020094665.tif 000002
【特許請求の範囲】
【請求項１】
壁体の開口部と当該開口部に挿通された挿通部材との隙間から室内への浸水を防止する止水構造であって、
前記挿通部材の外周面を囲う外囲部を有して前記壁体の外壁面に取り付けられた止水フードと、前記外壁面と前記止水フードの上縁部及び左右の側縁部との取り合いを封止する第１シール部と、前記挿通部材と前記外囲部との隙間を封止する第２シール部と、前記開口部と前記挿通部材との隙間を封止する第３シール部と、前記外壁面と前記止水フードとの間に形成されて前記止水フードの内部に浸入した水を流下させて前記止水フードの下方に排出する排水経路部とが含まれている止水構造。
【請求項２】
前記止水フードは、前記外囲部の上部側を含む下向きＵ字状の上側フード体と、前記外囲部の下部側を含むＵ字状の下側フード体とを有する上下二分割構造で、前記下側フード体の上部側が前記上側フード体の内部に入り込んだ状態で前記外壁面に取り付けられている請求項１に記載の止水構造。
【請求項３】
前記外囲部は、前記挿通部材の外周面に対向する内周面を有し、
前記第２シール部は、前記挿通部材の外周面と前記外囲部の内周面とにわたる二面接着で二面間を封止している請求項１又は２に記載の止水構造。
【請求項４】
前記止水フードの前記上縁部及び前記左右の側縁部には、前記外壁面にビス止めされる溝部と、当該溝部の外縁から外周方向に突出して前記外壁面との間に隙間を形成する外縁部とが形成され、
前記第１シール部には、前記溝部における前記外壁面との対向面に貼り付けられた防水テープと、前記溝部の内部に施された第１止水シールと、前記外壁面と前記外縁部との隙間に施された第２止水シールとが含まれている請求項１〜３のいずれか一項に記載の止水構造。
【発明の詳細な説明】
【技術分野】
【０００１】
本発明は、壁体の開口部と当該開口部に挿通された挿通部材との隙間から室内への浸水を防止する止水構造に関する。
【背景技術】
【０００２】
上記のような止水構造としては、例えば、壁体の開口部と当該開口部に挿通された挿通部材（ダクト本体）との隙間から室内への浸水を防止する壁貫通部閉塞装置がある（例えば特許文献１参照）。
この壁貫通部閉塞装置は、ダクト本体の外周部に鍔状に装着された第１フランジ（水切りフランジ５）と、第１フランジに接続される第２フランジ（水切りフランジ４と下部挿入フランジ１３）と、第２フランジに接続される挿入形の第３フランジ（水切りフランジ９）と、開口部の下方において壁体と第２フランジと第３フランジとの間に形成される空間を封入するパッキンとを有している。そして、第２フランジと第３フランジとの隙間、及び、第３フランジと壁体との隙間に対しては、コーキング材による防水処理が施されている。又、締付具のワッシャ部にゴムパッキンが挿入されることにより、第１フランジと第２フランジとの締付具による接続箇所、及び、第２フランジと第３フランジとの締付具による接続箇所には、ゴムパッキンによる防水処理が施されている。
上記の構成により、この壁貫通部閉塞装置は、壁体の開口部とダクト本体との隙間から室内への浸水を防止している。
【先行技術文献】
【特許文献】
【０００３】
【特許文献１】実開昭６３−１２００３８号公報
【発明の概要】
【発明が解決しようとする課題】
【０００４】
特許文献１に記載の壁貫通部閉塞装置においては、第２フランジと第３フランジとの隙間、及び、第３フランジと壁体との隙間に、コーキング材による水切り処理が施されることで、それらの隙間を封止するシール部が形成されている。
しかしながら、特許文献１に記載の壁貫通部閉塞装置においては、第１フランジと第２フランジとの接合面間、及び、壁体の開口部とダクト本体との隙間、などは封止されていないことから、雨水などが、第１フランジと第２フランジとの接合面間から壁貫通部閉塞装置内に浸入することがあり、この場合には、壁貫通部閉塞装置内に浸入した雨水などが壁体の開口部とダクト本体との隙間を通って室内に浸入することになる。又、例えば、コーキング材によるシール部に亀裂や剥がれなどが生じて雨水などが壁貫通部閉塞装置内に浸入した場合にも、その雨水などが壁体の開口部とダクト本体との隙間を通って室内に浸入することになる。
しかも、特許文献１に記載の壁貫通部閉塞装置は、開口部の下方において壁体と第２フランジと第３フランジとの間に形成される空間を封入するパッキンを有することから、壁貫通部閉塞装置内に浸入した雨水などがパッキン上に滞留することになる。その結果、壁貫通部閉塞装置内の雨水などが、壁体の開口部とダクト本体との隙間から室内に浸入し易くなる。
つまり、特許文献１に記載の壁貫通部閉塞装置は、止水構造としては不十分であり、止水性の面で改善の余地がある。
【０００５】
この実情に鑑み、本発明の主たる課題は、壁体の開口部と当該開口部に挿通された挿通部材との隙間から室内への浸水をより確実に防止する点にある。
【課題を解決するための手段】
【０００６】
本発明の第１特徴構成は、壁体の開口部と当該開口部に挿通された挿通部材との隙間から室内への浸水を防止する止水構造において、
前記挿通部材の外周面を囲う外囲部を有して前記壁体の外壁面に取り付けられた止水フードと、前記外壁面と前記止水フードの上縁部及び左右の側縁部との取り合いを封止する第１シール部と、前記挿通部材と前記外囲部との隙間を封止する第２シール部と、前記開口部と前記挿通部材との隙間を封止する第３シール部と、前記外壁面と前記止水フードとの間に形成されて前記止水フードの内部に浸入した水を流下させて前記止水フードの下方に排出する排水経路部とが含まれている点にある。
【０００７】
本構成によれば、第１シール部により、壁体の外壁面と止水フードの上縁部及び左右の側縁部との取り合い箇所から止水フード内への雨水などの浸入を防止することができる。又、第２シール部により、挿通部材と止水フードの外囲部との隙間から止水フード内への雨水などの浸入を防止することができる。
そして、仮に第１シール部又は第２シール部に亀裂や剥がれなどが生じて雨水などが止水フード内に浸入しても、その雨水などが壁体の開口部と挿通部材との隙間から室内に浸入することを、第３シール部によって防止することができる。しかも、止水フード内に浸入した雨水などは、止水フード内に滞留することなく、排水経路部を流下して止水フードの下方に排出されることから、壁体の開口部と挿通部材との隙間に向けて流れ難くなる。
つまり、前述した各シール部による好適な止水機能と排水経路部による排水機能とを有することにより、壁体の開口部と挿通部材との隙間から室内への浸水をより確実に防止することができる。
【０００８】
本発明の第２特徴構成は、
前記止水フードは、前記外囲部の上部側を含む下向きＵ字状の上側フード体と、前記外囲部の下部側を含むＵ字状の下側フード体とを有する上下二分割構造で、前記下側フード体の上部側が前記上側フード体の内部に入り込んだ状態で前記外壁面に取り付けられている点にある。
【０００９】
本構成によれば、例えば、挿通部材が壁体の開口部に挿通された既設部材であったとしても、挿通部材に対する上下方向からの組み付け作業により、止水フードを、その外囲部が挿通部材の外周面を囲う状態で壁体の外壁面に取り付けることができる。そして、止水フードを壁体の外壁面に取り付けた状態では、下側フード体の上部側が上側フード体の内部に入り込んでいることから、上側フード体と下側フード体との隙間を封止するシール部を有することなく、上側フード体と下側フード体との隙間からの浸水を防止することができる。
つまり、シール打ち工程を追加することなく、既設の挿通部材に対する止水フードの後施工を可能にすることができ、結果、施工性の向上を図ることができる。
【００１０】
本発明の第３特徴構成は、
前記外囲部は、前記挿通部材の外周面に対向する内周面を有し、
前記第２シール部は、前記挿通部材の外周面と前記外囲部の内周面とにわたる二面接着で二面間を封止している点にある。
【００１１】
本構成によれば、第２シール部が、例えば挿通部材の外周面と止水フードの外面とにわたる三角シールで挿通部材の外周面と止水フードの外囲部との隙間を封止する場合に比べて、壁体の伸縮などに対する第２シール部の追従性を高めることができ、第２シール部の剥がれなどによる止水性の低下を抑制することができる。
又、止水フードに第２特徴構成で記載した上下二分割構造を採用した場合であっても、給水管の外周面と止水フードの外囲部との隙間を第２シール部によって簡単かつ確実に封止することができる。
【００１２】
本発明の第４特徴構成は、
前記止水フードの前記上縁部及び前記左右の側縁部には、前記外壁面にビス止めされる溝部と、当該溝部の外縁から外周方向に突出して前記外壁面との間に隙間を形成する外縁部とが形成され、
前記第１シール部には、前記溝部における前記外壁面との対向面に貼り付けられた防水テープと、前記溝部の内部に施された第１止水シールと、前記外壁面と前記外縁部との隙間に施された第２止水シールとが含まれている点にある。
【００１３】
本構成によれば、止水フードのビス止めによる穿孔箇所から止水フード内への浸水は、第１止水シールと防水テープとの二重止水構造で効果的に防止することができる。
又、壁体の外壁面と止水フードの上縁部及び左右の側縁部との隙間から止水フード内への浸水は、第２止水シールと防水テープとの二重止水構造で効果的に防止することができる。
つまり、止水フード内への浸水をより確実に防止することができ、結果、壁体の開口部と挿通部材との隙間から室内への浸水をより確実に防止することができる。
【図面の簡単な説明】
【００１４】
【図１】止水構造を示す要部の縦断正面図
【図２】止水構造を示す要部の縦断側面図
【図３】止水構造を示す要部の横断平面図
【図４】第１シール部の構成などを示す要部の拡大縦断側面図
【図５】第２シール部及び第３シール部の構成などを示す要部の拡大縦断側面図
【図６】止水フードにおける上側フード体の構成を示す正面図
【図７】止水フードにおける下側フード体の構成を示す正面図
【発明を実施するための形態】
【００１５】
以下、本発明を実施するための形態の一例を図面に基づいて説明する。
なお、本発明に係る止水構造は、建物の外壁における設備貫通部の止水対策に適用することができ、特に、設備貫通部の改修工事や設備の更新工事などに好適に適用することができる。
【００１６】
図１〜２に示すように、本実施形態に例示された止水構造は、建物の外壁を形成する壁体の一例である断熱パネル１に形成された開口部１Ａと、この開口部１Ａに挿通された挿通部材の一例である給水管２との隙間から室内３への浸水を防止している。
【００１７】
図２〜５に示すように、断熱パネル１には、２枚の耐食性鋼板１０の間に断熱材１１が挟まれて一体化された金属断熱サンドイッチパネルが採用されている。開口部１Ａは、給水管２の直径よりも大径の円形に形成されている。開口部１Ａには、その小口面の断熱材１１を覆い隠すように第１アルミテープ１２が貼り付けられている。そして、この第１アルミテープ１２にて開口部１Ａの内周面が形成されている。
【００１８】
図２〜３、図５に示すように、給水管２には、断熱パネル１の外壁面１Ｂから屋外に延びる給水管２の露出部２Ａを覆うチューブ状の保温材２０が含まれている。つまり、給水管２は、その露出部２Ａの外周面が保温材２０の外周面によって形成されている。
【００１９】
図１〜７に示すように、止水構造には、給水管２における露出部２Ａの外周面を囲う外囲部４Ａを有して断熱パネル１の外壁面１Ｂに取り付けられた止水フード４が含まれている。止水フード４は、断熱パネル１の外壁面１Ｂからの出幅が短い（例えば３０ｍｍ程度）薄型の箱状に形成されている。止水フード４は、外囲部４Ａの上部側を含む下向きＵ字状の上側フード体４０と、外囲部４Ａの下部側を含むＵ字状の下側フード体４１とを有する上下二分割構造で、下側フード体４１の上部側が上側フード体４０の内部に入り込んだ状態で外壁面１Ｂに取り付けられている。上側フード体４０と下側フード体４１には、断熱パネル１の表面材と同じ耐食性鋼板が採用されている。
【００２０】
図１〜６に示すように、上側フード体４０は、断熱パネル１の外壁面１Ｂに対向する縦壁部４０Ａ、縦壁部４０Ａの上縁において屈曲形成された上縁部４０Ｂ、及び、縦壁部４０Ａの左右の側縁において屈曲形成された左右の側縁部４０Ｃ、などを有して、断熱パネル１の外壁面１Ｂからの出幅が短い薄型の箱状に形成されている。そして、屈曲形成によって突き合わされる上縁部４０Ｂの左右の両側縁と左右の側縁部４０Ｃの上縁とが溶接されている。上側フード体４０には、縦壁部４０Ａの下縁から上向きに切り込まれた凹部４０Ｄが形成されている。上側フード体４０は、凹部４０Ｄの上縁が円弧状に形成されるとともに、凹部４０Ｄの上縁において内向きに屈曲形成された円弧状の庇部４０Ｅを有している。庇部４０Ｅは、縦壁部４０Ａからの延出長さが、縦壁部４０Ａからの上縁部４０Ｂ及び左右の側縁部４０Ｃの延出長さよりも短い長さに設定されている。庇部４０Ｅの底面には、その全域にわたって第２アルミテープ４２が貼り付けられている。上縁部４０Ｂと左右の側縁部４０Ｃには、断熱パネル１の外壁面１Ｂに複数箇所がビス止めされる溝部４０Ｂａ，４０Ｃａと、これらの溝部４０Ｂａ，４０Ｃａの外縁から外周方向に突出して断熱パネル１の外壁面１Ｂとの間に隙間を形成する外縁部４０Ｂｂ，４０Ｃｂとが形成されている。
【００２１】
図１〜５、図７に示すように、下側フード体４１は、断熱パネル１の外壁面１Ｂに対向する縦壁部４１Ａ、縦壁部４１Ａの上縁において内向きに屈曲形成された左右の上縁部４１Ｂ、及び、縦壁部４０Ａの左右の側縁において屈曲形成された左右の側縁部４１Ｃ、などを有して、断熱パネル１の外壁面１Ｂからの出幅が短い薄型の箱状に形成されている。下側フード体４１には、縦壁部４１Ａの上縁から下向きに切り込まれた凹部４１Ｄが形成されている。下側フード体４１は、凹部４１Ｄの下縁が円弧状に形成されるとともに、凹部４０Ｄの下縁において内向きに屈曲形成された円弧状の庇部４１Ｅと、凹部４１Ｄの左右の側縁において内向きに屈曲形成された左右の内壁部４１Ｆとを有している。左右の側縁部４１Ｃには、左右の内壁部４１Ｆに対向する外壁部４１Ｃａと、断熱パネル１の外壁面１Ｂに複数箇所がビス止めされる端縁部４１Ｃｂとが形成されている。そして、屈曲形成によって突き合わされる各上縁部４１Ｂの左右の側縁と左右の外壁部４１Ｃａの上縁と左右の内壁部４１Ｆの上縁とが溶接されている。庇部４１Ｅは、縦壁部４１Ａからの延出長さが、縦壁部４１Ａからの上縁部４１Ｂ及び左右の側縁部４１Ｃの延出長さよりも短い長さに設定されている。庇部４１Ｅの上面には、その全域にわたって第２アルミテープ４２が貼り付けられている。
【００２２】
上記の構成により、止水フード４を断熱パネル１の外壁面１Ｂに取り付ける場合には、先ず、下側フード体４１の庇部４１Ｅが給水管２における露出部２Ａの下半部を下方から囲う状態になるように、下側フード体４１を断熱パネル１の外壁面１Ｂにビス止めする。その後、上側フード体４０の庇部４０Ｅが給水管２における露出部２Ａの上半部を上方から囲う状態になるように、上側フード体４０を断熱パネル１の外壁面１Ｂにビス止めする。これにより、断熱パネル１の外壁面１Ｂに対して、止水フード４を、上側フード体４０の庇部４０Ｅと下側フード体４１の庇部４１Ｅとで給水管２の露出部２Ａを囲う円筒状の外囲部４Ａが形成され、かつ、下側フード体４１の上部側が上側フード体４０の内部に入り込んだ状態となる適正な位置に簡単に取り付けることができる。
【００２３】
止水フード４は、上記のように断熱パネル１の外壁面１Ｂに取り付けられた状態では、上側フード体４０の上縁部４０Ｂが止水フード４の上縁部となり、上側フード体４０の左右の側縁部４０Ｃが止水フード４の左右の側縁部となる。又、上側フード体４０における上縁部４０Ｂの溝部４０Ｂａと左右の側縁部４０Ｃの溝部４０Ｃａとが止水フード４の溝部となり、上側フード体４０における上縁部４０Ｂの外縁部４０Ｂｂと左右の側縁部４０Ｃの外縁部４０Ｃｂとが止水フード４の外縁部となる。そして、上側フード体４０の庇部４０Ｅと下側フード体４１の庇部４１Ｅとに貼り付けられた第２アルミテープ４２により、給水管２における露出部２Ａの外周面に対向する外囲部４Ａの内周面が形成されている。
【００２４】
図２〜５に示すように、止水構造には、断熱パネル１の外壁面１Ｂと止水フード４の上縁部４０Ｂ及び左右の側縁部４０Ｃとの取り合いを封止する第１シール部５が含まれている。第１シール部５には、止水フード４の溝部４０Ｂａ，４０Ｃａにおける外壁面１Ｂとの対向面に貼り付けられた防水テープ５０と、溝部４０Ｂａ，４０Ｃａの内部に施された第１止水シール５１と、断熱パネル１の外壁面１Ｂと止水フード４の外縁部４０Ｂｂ，４０Ｃｂとの隙間に施された第２止水シール５２とが含まれている。
【００２５】
防水テープ５０は、断熱パネル１の外壁面１Ｂと止水フード４の各溝部４０Ｂａ，４０Ｃａとの間に介在することにより、断熱パネル１の外壁面１Ｂと止水フード４の各溝部４０Ｂａ，４０Ｃａとの間を封止している。この封止により、防水テープ５０は、断熱パネル１の外壁面１Ｂと止水フード４の各溝部４０Ｂａ，４０Ｃａとの隙間から止水フード内への浸水、及び、各溝部４０Ｂａ，４０Ｃａのビス止めによる複数の穿孔箇所から止水フード内への浸水を防止している。防水テープ５０には、防水性、気密性、防振性に優れ、又、高い柔軟性を有して粗面への接着性にも優れた粘着力の高いブチルテープなどを採用することができる。
【００２６】
第１止水シール５１は、止水フード４における各溝部４０Ｂａ，４０Ｃａの全長にわたって、変成シリコン系などのシーリング材が各溝部４０Ｂａ，４０Ｃａの内部に充填されることにより、各溝部４０Ｂａ，４０Ｃａをそれらの全長にわたって封止している。この封止により、第１止水シール５１は、各溝部４０Ｂａ，４０Ｃａのビス止めによる複数の穿孔箇所から止水フード内への浸水を防止している。
【００２７】
第２止水シール５２は、止水フード４における各外縁部４０Ｂｂ，４０Ｃｂの全長にわたって、変成シリコン系などのシーリング材が断熱パネル１の外壁面１Ｂと止水フード４の各外縁部４０Ｂｂ，４０Ｃｂとの隙間に充填されることにより、その隙間を各外縁部４０Ｂｂ，４０Ｃｂの全長にわたって封止している。この封止により、第２止水シール５２は、断熱パネル１の外壁面１Ｂと止水フード４の各外縁部４０Ｂｂ，４０Ｃｂとの隙間から止水フード内への浸水を防止している。
【００２８】
第１シール部５には、各溝部４０Ｂａ，４０Ｃａの底面と第１止水シール５１との間に介在する第１バックアップ材５３と、各溝部４０Ｂａ，４０Ｃａの外壁部と第２止水シール５２との間に介在する第２バックアップ材５４とが含まれている。第１バックアップ材５３は、第１止水シール５１が各溝部４０Ｂａ，４０Ｃａの底面に接着することを阻止している。これにより、第１止水シール５１は、各溝部４０Ｂａ，４０Ｃａにおいてそれらの内壁面と外壁面とにわたる二面接着でその二面間を封止している。第２バックアップ材５４は、第２止水シール５２が各溝部４０Ｂａ，４０Ｃａの外壁部に接着することを阻止している。これにより、第２止水シール５２は、断熱パネル１の外壁面１Ｂと止水フード４の外縁部４０Ｂｂ，４０Ｃｂとにわたる二面接着でその二面間を封止している。
【００２９】
図１〜３、図５に示すように、止水構造には、給水管２と止水フード４の外囲部４Ａとの隙間を封止する第２シール部６が含まれている。第２シール部６は、給水管２における露出部２Ａの外周面と止水フード４における外囲部４Ａの内周面との間の全周にわたって、変成シリコン系などのシーリング材が充填されることにより、給水管２と外囲部４Ａとの隙間を封止している。この封止により、第２シール部６は、給水管２と外囲部４Ａとの隙間から止水フード内への浸水を防止している。第２シール部６は、断熱パネル１の外壁面１Ｂとの間に第３バックアップ材６０が介在することにより、断熱パネル１の外壁面１Ｂへの接着が阻止されている。これにより、第２シール部６は、給水管２における露出部２Ａの外周面と外囲部４Ａの内周面とにわたる二面接着でその二面間を封止している。
【００３０】
図２〜３、図５に示すように、止水構造には、断熱パネル１の開口部１Ａと給水管２との隙間を封止する第３シール部７が含まれている。第３シール部７には、開口部１Ａの室内側と給水管２との隙間を封止する内側止水シール７０と、開口部１Ａの室外側と給水管２との隙間を封止する外側止水シール７１と、内側止水シール７０と外側止水シール７１とを仕切る第４バックアップ材７２とが含まれている。内側止水シール７０は、開口部１Ａにおける室内側の内周面と給水管２の外周面との間の全周にわたって、変成シリコン系などのシーリング材が充填されることにより、開口部１Ａにおける室内側の内周面と給水管２の外周面との隙間を封止している。外側止水シール７１は、開口部１Ａにおける室外側の内周面と給水管２の外周面との間の全周にわたって、変成シリコン系などのシーリング材が充填されることにより、開口部１Ａにおける室外側の内周面と給水管２の外周面との隙間を封止している。これにより、第３シール部７は、開口部１Ａの内周面と給水管２の外周面とにわたる二面接着でその二面間を封止する内側止水シール７０と外側止水シール７１とを有する二重止水構造で、開口部１Ａの内周面と給水管２の外周面との隙間から室内３への浸水を防止している。
【００３１】
第３シール部７には、断熱パネル１における開口部１Ａの周辺部と給水管２における保温材２０の端面との隙間を封止する外部止水シール７３と、給水管２の外周面と外部止水シール７３との間に介在する第５バックアップ材７４とが含まれている。外部止水シール７３は、開口部１Ａの周辺部と保温材２０の端面との間の全周にわたって、変成シリコン系などのシーリング材が充填されることにより、開口部１Ａの周辺部と保温材２０の端面との隙間を封止している。この封止により、開口部１Ａの周辺部と保温材２０の端面との隙間から開口部側への浸水を防止している。外部止水シール７３は、給水管２の外周面との間に第５バックアップ材７４が介在することにより、給水管２の外周面への接着が阻止されている。これにより、外部止水シール７３は、開口部１Ａの周辺部と保温材２０の端面とにわたる二面接着でその二面間を封止している。
【００３２】
図２〜５に示すように、止水構造には、断熱パネル１の外壁面１Ｂと止水フード４との間に形成されることで、止水フード４の内部に浸入した雨水などを流下させて止水フード４の下方に排出する排水経路部８が含まれている。排水経路部８は、断熱パネル１の外壁面１Ｂと止水フード４の下縁との間に形成された排出口８Ａから止水フード内の雨水などを外部に排出する。
【００３３】
以上の説明から明らかなように、この止水構造には、前述した第１シール部５と第２シール部６と第３シール部７と排水経路部８とが含まれている。これにより、断熱パネル１の外壁面１Ｂと止水フード４の上縁部４Ｂ及び左右の側縁部４Ｃとの取り合い箇所から止水フード内への雨水などの浸入は、第１シール部５によって防止することができる。又、給水管２と止水フード４の外囲部４Ａとの隙間から止水フード内への雨水などの浸入は、第２シール部６によって防止することができる。そして、仮に第１シール部５又は第２シール部６に亀裂や剥がれなどが生じて雨水などが止水フード内に浸入した場合は、その雨水などが断熱パネル１の開口部１Ａと給水管２との隙間から室内３に浸入することを、第３シール部７によって防止することができる。しかも、止水フード内に浸入した雨水などは、止水フード内に滞留することなく、排水経路部８を流下して排出口８Ａから止水フード４の外部に排出されることから、断熱パネル１の開口部１Ａと給水管２との隙間に向けて流れ難くなる。
つまり、この止水構造は、前述した各シール部５〜６による好適な止水機能と排水経路部８による排水機能とを有することにより、断熱パネル１の開口部１Ａと給水管２との隙間から室内３への浸水を好適に防止することができる。
【００３４】
この止水構造においては、前述したように、止水フード４が上側フード体４０と下側フード体４１とを有する上下二分割構造で、下側フード体４１の上部側が上側フード体４０の内部に入り込んだ状態で断熱パネル１の外壁面１Ｂに取り付けられている。これにより、例えば、給水管２が既に断熱パネル１の開口部１Ａに挿通されている既設部材であったとしても、給水管２に対する上下方向からの組み付け作業により、止水フード４を、その外囲部４Ａが給水管２の外周面を囲う状態で断熱パネル１の外壁面１Ｂに取り付けることができる。そして、止水フード４を断熱パネル１の外壁面１Ｂに取り付けた状態では、下側フード体４１の上部側が上側フード体４０の内部に入り込んでいることから、上側フード体４０と下側フード体４１との隙間を封止するシール部を有することなく、上側フード体４０と下側フード体４１との隙間から止水フード内への雨水などの浸入を防止することができる。
つまり、シール打ち工程を追加することなく、既設の給水管２に対する止水フード４の後施工を可能にすることができ、結果、施工性の向上を図ることができる。
【００３５】
又、止水フード４においては、下側フード体４１における左右の端縁部４１Ｃｂの複数箇所（図１、図７では３箇所ずつの合計６箇所）が断熱パネル１にビス止めされ、かつ、上側フード体４０における各溝部４０Ｂａ，４０Ｃａの複数箇所（図１、図６では３箇所ずつの合計９箇所）が断熱パネル１にビス止めされている。つまり、断熱パネル１に対する上側フード体４０及び下側フード体４１の固定箇所を多くすることにより、断熱パネル１に対する止水フード４の堅固な取り付けを可能にしている。特に、上側フード体４０においては、その上縁部４０Ｂと左右の側縁部４０Ｃとの３辺に形成された各溝部４０Ｂａ，４０Ｃａの複数箇所がビス止めされていることから、断熱パネル１に対するより堅固な取り付けが可能になっている。
【００３６】
そして、止水フード４は、その形状が薄型の箱状であることにより、風の影響によるガタツキが生じ難くなっている。これにより、止水フード４のガタツキに起因した各シール部５〜７での剥がれが生じ難くなっており、その剥がれによる止水性の低下が抑制されている。
【００３７】
この止水構造においては、前述したように、第１シール部５に防水テープ５０と第１止水シール５１と第２止水シール５２とが含まれている。これにより、止水フード４のビス止めによる穿孔箇所から止水フード内への浸水は、第１止水シール５１と防水テープ５０との二重止水構造によって効果的に防止することができる。又、断熱パネル１の外壁面１Ｂと止水フード４の上縁部４Ｂ及び左右の側縁部４Ｃとの隙間から止水フード内への浸水は、第２止水シール５２と防水テープ５０との二重止水構造によって効果的に防止することができる。
つまり、止水フード内への浸水をより確実に防止することができ、結果、断熱パネル１の開口部１Ａと給水管２との隙間から室内３への浸水をより確実に防止することができる。
【００３８】
そして、第１シール部５においては、第１止水シール５１が、止水フード４における上側フード体４０の各溝部４０Ｂａ，４０Ｃａにおいてそれらの内壁面と外壁面とにわたる二面接着でその二面間を封止している。これにより、第１止水シール５１が、例えば各溝部４０Ｂａ，４０Ｃａの内壁面と外壁面と底面とに接する三面接着で各溝部４０Ｂａ，４０Ｃａを封止する場合に比べて、止水フード４の伸縮などに対する第１止水シール５１の追従性を高めることができ、第１止水シール５１の剥がれなどによる止水性の低下を抑制することができる。
【００３９】
又、第１シール部５においては、第２止水シール５２が、断熱パネル１の外壁面１Ｂと止水フード４における上側フード体４０の各外縁部４０Ｂｂ，４０Ｃｂとにわたる二面接着でその二面間を封止している。これにより、第２止水シール５２が、例えば断熱パネル１の外壁面１Ｂと上側フード体４０の外縁部４０Ｂｂ，４０Ｃｂと上側フード体４０における溝部４０Ｂａ，４０Ｃａの外壁面とに接する三面接着で断熱パネル１の外壁面１Ｂと上側フード体４０の外縁部４０Ｂｂ，４０Ｃｂとの隙間を封止する場合に比べて、断熱パネル１の伸縮などに対する第２止水シール５２の追従性を高めることができ、第２止水シール５２の剥がれなどによる止水性の低下を抑制することができる。
【００４０】
この止水構造においては、前述したように、第２シール部６が給水管２の外周面と止水フード４における外囲部４Ａの内周面とにわたる二面接着でその二面間を封止している。これにより、止水フード４に前述した上下二分割構造を採用しても、給水管２の外周面と止水フード４の外囲部４Ａとの隙間を第２シール部６によって簡単かつ確実に封止することができる。又、第２シール部６が、例えば給水管２の外周面と止水フード４における上側フード体４０の縦壁部４０Ａとにわたる三角シールで給水管２の外周面と止水フード４の外囲部４Ａとの隙間を封止する場合に比べて、断熱パネル１の伸縮などに対する第２シール部６の追従性を高めることができ、第２シール部６の剥がれなどによる止水性の低下を抑制することができる。
【００４１】
この止水構造においては、前述したように、第３シール部７が、断熱パネル１における開口部１Ａの内周面と給水管２の外周面とにわたる二面接着でその二面間を封止する内側止水シール７０と外側止水シール７１とを有する二重止水構造で、開口部１Ａの内周面と給水管２の外周面との隙間から室内３への浸水を防止している。これにより、開口部１Ａの内周面と給水管２の外周面との隙間から室内３への浸水を、前述した二重止水構造によって効果的に防止することができる。又、第３シール部７が、例えば断熱パネル１の外壁面１Ｂと給水管２の外周面とにわたる三角シールで開口部１Ａの内周面と給水管２の外周面との隙間を封止する場合に比べて、断熱パネル１の伸縮などに対する第３シール部７の追従性を高めることができ、第３シール部７の剥がれなどによる止水性の低下を抑制することができる。
【００４２】
これに加えて、第３シール部７においては、外部止水シール７３が断熱パネル１における開口部１Ａの周辺部と保温材２０の端面とにわたる二面接着でその二面間を封止している。これにより、止水フード内に浸入した雨水などが断熱パネル１の開口部１Ａと給水管２との隙間から室内３に浸入することを、より確実に防止することができる。又、断熱パネル１の伸縮などに対する外部止水シール７３の追従性を高めることができ、外部止水シール７３の剥がれなどによる止水性の低下を抑制することができる。
【００４３】
〔別実施形態〕
本発明の他の実施形態について説明する。
なお、以下に説明する各実施形態の構成は、それぞれ単独で適用することに限らず、他の実施形態の構成と組み合わせて適用することも可能である。
【００４４】
（１）壁体１は、断熱パネル以外の例えばコンクリート壁や石膏ボードなどであってもよい。又、壁体１における開口部１Ａの形状は、開口部１Ａに挿通される挿通部材２の断面形状などに応じて種々の変更が可能である。
【００４５】
（２）挿通部材２は、給水管２以外の例えば空調ダクト、ケーブルラック、又は、建築鋼材などであってもよい。
【００４６】
（３）止水フード４は、外囲部４Ａの上部側を含む下向きＵ字状の上側フード体４０と、外囲部４Ａの下部側を含むＵ字状の下側フード体４１とを有する上下二分割構造で、かつ、下側フード体４１の上部側が上側フード体４０の内部に入り込まない状態（例えば、上側フード体４０と下側フード体４１との突合せ状態など）で壁体１の外壁面１Ｂに取り付けられることにより、上側フード体４０と下側フード体４１との隙間を封止するシール部が必要な構成であってもよい。
【００４７】
（４）止水フード４は、外囲部４Ａの左半部を含む右向きＵ字状の左側フード体と、外囲部４Ａの右半部を含む左向きＵ字状の右側フード体とを有する左右二分割構造で、左側フード体と右側フード体との隙間を封止するシール部が必要な構成であってもよい。
【００４８】
（５）止水フード４は分割不能に構成されていてもよい。又、止水フード４は、三分割以上に分割可能な分割構造であってもよい。
【００４９】
（６）止水フード４は、その外囲部４Ａが挿通部材２の外周面に対向する周縁部からなり、第２シール部６は、挿通部材２の外周面と止水フード４の外面（縦壁部４０Ａ，４１Ａ）とにわたる三角シールで挿通部材２の外周面と止水フード４の外囲部４Ａとの隙間を封止する構成であってもよい。
【００５０】
（７）止水フード４は、その上縁部４０Ｂと左右の側縁部４０Ｃとに、前述した溝部４０Ｂａ，４０Ｃａの代わりに、壁体１の外壁面１Ｂに複数箇所がビス止めされる端縁部が形成され、第１シール部５は、各端縁部の裏面に貼り付けられた防水テープ５０のみで壁体１の外壁面１Ｂと止水フード４の端縁部との隙間を封止する構成であってもよい。
【００５１】
（８）第３シール部７は、壁体１における開口部１Ａの内周面と給水管２の外周面とにわたる二面接着でその二面間を封止する二面間シールと、壁体１の外壁面１Ｂと給水管２の外周面とにわたる三角シールとを有する二重止水構造で、開口部１Ａの内周面と給水管２の外周面との隙間から室内３への浸水を防止する構成であってもよい。
【００５２】
（９）第１シール部５においては、第１バックアップ材５３及び第２バックアップ材５４の代わりにボンドブレーカが採用されていてもよい。
【００５３】
（１０）止水フード４における外囲部４Ａの形状は、外囲部４Ａが囲う挿通部材２の断面形状などに応じて種々の変更が可能である。
【符号の説明】
【００５４】
１        壁体
１Ａ      開口部
１Ｂ      外壁面
２        挿通部材
３        室内
４        止水フード
４Ａ      外囲部
５        第１シール部
６        第２シール部
７        第３シール部
８        排水経路部
４０      上側フード体
４０Ｂ    上縁部
４０Ｂａ  溝部
４０Ｂｂ  外縁部
４０Ｃ    側縁部
４０Ｃａ  溝部
４０Ｃｂ  外縁部
４１      下側フード体
５０      防水テープ
５１      第１止水シール
５２      第２止水シール
【図１】
2020094665.tif 000003
【図２】
2020094665.tif 000004
【図３】
2020094665.tif 000005
【図４】
2020094665.tif 000006
【図５】
2020094665.tif 000007
【図６】
2020094665.tif 000008
【図７】
2020094665.tif 000009